(57)【要約】【課題】ワンアクションで容易に開封可能であり、中仕切りを固定という役割を保持したまま、眉毛テンプレートとして有効利用できる化粧品収納用包装体を提供する。【解決手段】  対向する正面部及び背面部と対向する１対の側面部とを含む４面体の箱構造体をなし、前記正面部から延設してフラップ片を設け、少なくとも前記フラップ片に開封用のミシン目を形成し、前記フラップ片に形成した前記ミシン目の先端部に開封用切込みを設け、前記箱構造体内に中仕切りを前記正面部に対向して有し、前記中仕切りに眉毛パターンを形成する化粧品収納用包装体。【選択図】図１
2018177260.tif 000002
【特許請求の範囲】
【請求項１】
化粧品を収納する包装体であって、
対向する正面部及び背面部と対向する１対の側面部とを含む４面体の箱構造体をなし、
前記正面部から延設してフラップ片を設け、
少なくとも前記フラップ片に開封用のミシン目を形成し、前記フラップ片に形成した前記ミシン目の先端部に開封用切り込みを設け、
前記箱構造体内に中仕切りを前記正面部に対向して有し、前記中仕切りに眉毛パターンを形成した化粧品収納用包装体。
【請求項２】
前記箱構造体及びフラップ片は樹脂製である請求項１に記載の化粧品収納用包装体。
【請求項３】
前記ミシン目を前記正面部に延長して形成した請求項１又は２に記載の化粧品収納用包装体。
【請求項４】
前記フラップ片と前記正面部との前記ミシン目同士を円弧状に連続させた請求項３に記載の化粧品収納用包装体。
【請求項５】
前記フラップ片及び／又は前記正面部の前記ミシン目の末端部を円弧状に形成した請求項３又は４に記載の化粧品収納用包装体。
【請求項６】
前記中仕切りを前記一方の側面部の端縁から延設し、前記中仕切りと前記側面部の端縁との境界に線状の折り目を形成した請求項１〜５のいずれか１項に記載の化粧品収納用包装体。
【請求項７】
前記中仕切りに前記眉毛パターンを含めた範囲を切り離すためのミシン目を形成した請求項１〜６のいずれか１項に記載の化粧品収納用包装体。
【請求項８】
前記フラップ片は前記一方の側面部に重ねられて前記４面体の箱構造体の一部をなし、前記フラップ片を前記一方の側面部からの前記開封用ミシン目に沿って切り離すことにより前記箱構造体を開封可能とした請求項１〜７のいずれか１項に記載の化粧品収納用包装体。
【請求項９】
請求項１〜８のいずれか１項に記載の化粧品収納用包装体に、眉毛用化粧品を収納した製品。
【発明の詳細な説明】
【技術分野】
【０００１】
本発明は、化粧品収納用包装体に関する。
【背景技術】
【０００２】
従来、細い筒状の眉毛用化粧品は、開封し易さや表示面に印刷するための表示面積確保のため、眉毛用化粧品の大きさよりも、かなり大きめのサイズの箱体に収納され販売されることが行われている。しかし、眉毛用化粧品のサイズよりも大きいサイズの箱体としての化粧品収納用包装体に収納されるために、眉毛用化粧品が箱体の中で大きく移動してしまう。その結果、収納した商品に傷が付くといった問題の他、陳列時には購入者に対し煩雑な印象を与えてしまう。
【０００３】
そこで、従来の箱体としての化粧品収納用包装体では、筒状の眉毛用化粧品が化粧品収納パッケージの中で大きく移動するのを防ぐため、眉毛用化粧品を固定するための中仕切りが設けられている。
【０００４】
非特許文献１には眉毛用化粧品を収納するための化粧品収納用包装体が開示されており、図１１に示すように、正面部１１０、背面部１４０と、側面部１２０、側面部１３０と、平面部１１２Ａ、底面部１１２Ｂから形成される６面体の化粧品収納用包装体１００が提案されている。この化粧品収納用包装体１００は、図１２に示すように、背面部１４０、側面部１２０から延設される中仕切り１５０を正面部１１０と背面部１４０との間に、化粧品収納用包装体内に斜面状に折り畳まれて配される。図１３及び図１４に示すように、中仕切り１５０を斜面状に配置して化粧品収納用包装体１００内の空間を２つに仕切ることによって形成される一方の空間に眉毛用化粧品２００を収納し固定する。
【０００５】
一方、購入者が非特許文献１の化粧品収納用包装体１００から商品（化粧品）を取り出す場合、購入者は図１１に示す平面部１１２Ａに延設される差し込み蓋部１１１Ａ又は底面部１１２Ｂに延設される差し込み蓋部１１１Ｂを引き出して、平面部１１２Ａ又は底面部１１２Ｂを開放し、商品を化粧品収納用包装体１００から取り出すことができる。これらの差し込み蓋部１１１Ａ、差し込み蓋部１１１Ｂは、化粧品販売時（店頭陳列時）において、化粧品収納用包装体１００の本体に折り込まれているだけで接着等による固定はされておらず、開封可能な状態となっている。これらの差し込み蓋部１１１Ａ、差し込み蓋部１１１Ｂをシールや接着剤等で固定したり、また延設舌状部とのロックを強くしてしまうと、ハサミ等を使う必要がある等、購入者が商品を取り出し難くなり、購入者に開封ストレスを与えることとなる。
【０００６】
また、従来美しい形の眉を描くための補助具として、眉毛のパターンが形成された眉毛描画用のテンプレートが存在する。アイブロウ用化粧品を販売する際には前記テンプレートが化粧品収納用包装体内に一緒に添付されることがある。
【０００７】
特許文献１は、充填された化粧料の飛散を防ぐための中入れフィルムと化粧料容器に関する考案であって、中入れフィルムの一辺を眉形状の湾曲辺とすることによって中入れフィルムを眉毛テンプレートとして使用することが開示されている。
【先行技術文献】
【特許文献】
【０００８】
【非特許文献１】出願人が販売する従来品（http://www.kanebo-cosmetics.jp/media/lineup/eye/eye_w_eyebrow.html）
【特許文献１】実用新案登録第３０６０５１３号公報
【発明の概要】
【発明が解決しようとする課題】
【０００９】
しかし、図１１に示すように、非特許文献１に示す化粧品収納用包装体の中仕切り１５０は、正面部１１０や背面部１４０と同等の幅を有するにも関わらず、化粧品の固定ということ以外には利用されていない。また非特許文献１の化粧品収納用包装体は、開封箇所が平面部１１２Ａ又は底面部１１２Ｂに限られるため化粧品収納用包装体内の中仕切り１５０を取り出すことは難しく、中仕切り１５０は固定という役割を終えた後は廃棄されるのみであり有効利用されてはいない。
【００１０】
非特許文献１に示す化粧品収納用包装体の差し込み蓋部１１１Ａ又は差し込み蓋部１１１Ｂが、単に化粧品収納用包装体１００内に折り込まれているだけの場合には、陳列されている商品（購入前の商品）を勝手に開封されてしまうことがあり（不正開封）、更に不正開封後であっても、差し込み蓋部１１１Ａ又は差し込み蓋部１１１Ｂが化粧品収納用包装体１００内に再び折り込まれてしまうと、外観上不正開封された商品かどうかの判別をすることが困難となる場合がある。
【００１１】
特許文献１は、化粧料容器とは別体の中入れフィルムを眉毛テンプレートとして用いるため、化粧料容器の製造とは別に中入れフィルム用の製造ラインを設ける必要があり製造コストがかかる。そして、化粧料を容器に充填する作業とは別にこの中入れを収納する作業が必要となり作業が煩雑となる。
【００１２】
本発明は、中仕切りに化粧品の固定という役割を保持したまま、包装体の一部である中仕切りを眉毛テンプレートとしても有効利用することを可能とし、不正開封が直ちにわかる開封構造であり、ワンアクションで開封可能で、購入者に開封ストレスを与えない化粧品収納用包装体に関する。
【課題を解決するための手段】
【００１３】
本発明における化粧品収納用包装体は、対向する正面部及び背面部と対向する１対の側面部とを含む４面体の箱構造体をなし、前記正面部から延設してフラップ片を設け、少なくとも前記フラップ片に開封用のミシン目を形成し、前記フラップ片に形成した前記ミシン目の先端部に開封用切込みを設け、前記箱構造体内に中仕切りを前記正面部に対向して有し、前記中仕切りに眉毛パターンを形成したものである。
【発明の効果】
【００１４】
本発明によれば、フラップ片を引っ張るというワンアクションで容易に開封可能であり、中仕切りに直ちにアクセスできるため、化粧品収納用包装体と一体成型される中仕切りを固定という役割を保持したまま、眉毛テンプレートとして有効利用できる。
【図面の簡単な説明】
【００１５】
【図１】本発明の実施形態１に係る化粧品収納用包装体の展開図である。
【図２】本発明の実施形態１に係る化粧品収納用包装体の組み立て方法を示す説明図である。
【図３】本発明の実施形態１に係る化粧品収納用包装体の組立てた状態を示す斜視図である。
【図４】本発明の実施形態１に係る化粧品収納用包装体に眉毛用化粧品を収納した状態を示す斜視図である。
【図５】本発明の実施形態１に係る化粧品収納用包装体をフラップ片から開封した状態を示す斜視図である。
【図６】本発明の実施形態１に係る化粧品収納用包装体の接着面を示す説明図である。
【図７】本発明の実施形態２の眉毛パターンの種類を示す図である。
【図８】本発明に係る眉毛テンプレートの使用方法を示す説明図である。
【図９】本発明の実施形態３に係る化粧品収納用包装体の展開図である。
【図１０】本発明の実施形態４に係る化粧品収納用包装体の展開図である。
【図１１】従来技術に係る化粧品収納用包装体の展開図である。
【図１２】従来技術に係る化粧品収納用包装体の組立てた状態を示す斜視図である。
【図１３】従来技術に係る化粧品収納用包装体に眉毛用化粧品を収納した状態を示す斜視図である。
【図１４】従来技術に係る化粧品収納用包装体に眉毛用化粧品を収納した状態を示すＡ−Ａ線端面図である。
【発明を実施するための形態】
【００１６】
以下、図面を参照して、本発明による化粧品収納用包装体を実施するための形態について説明する。
【００１７】
［実施形態１］
図１乃至図６を参照して、本発明による化粧品収納用包装体の実施形態１を説明する。なお、本発明による化粧品収納用包装体は、通常、組み立てられた状態で取り扱われるものであるが、便宜上展開した状態で各部構成の詳細な説明を行うものである。
【００１８】
図１は、本発明の実施形態１に係る化粧品収納用包装体の展開図である。本発明による化粧品収納用包装体としての箱体１は、紙素材や、ＰＰ（ポリプロピレン）樹脂、ＰＥＴ（ポリエチレンテレフタレート）樹脂などの樹脂素材により構成することができるが、収納された化粧品や眉毛テンプレートを目視で確認でき、また耐久性の点から樹脂素材により構成されている。
【００１９】
図１に示すように、化粧品収納用包装体としての箱体１は、主に、正面部１０、背面部４０、正面部１０の上側に延設される平面部１２Ａと、正面部１０の下側に延設される底面部１２Ｂと、正面部１０の左側に延設される第１側面部２０と、正面部１０と背面部４０との間に延設される第２側面部３０と、背面部４０の右側に延設される第３側面部６０と、第３側面部６０から更に右側に延設される中仕切り５０と、平面部１２Ａの上部に延設される差し込み部１１Ａと、底面部１２Ｂの下部に延設される差し込み部１１Ｂ等で構成され、これらは全体として一体に形成されている。
【００２０】
図１に示すように、本発明の実施形態１に係る化粧品収納用包装体としての箱体１は、正面部１０、背面部４０の幅方向の長さが図面上約３０ｍｍ、縦方向の長さが約１３０ｍｍ（約１:４．３）であり、全体が縦長の形態で一体に形成されている。
図１に示すように、正面部１０の左側に延設される第１側面部２０は、幅方向の長さが図面上約１０ｍｍ、縦方向の長さは正面部１０、背面部４０と同じである。なお、第２側面部３０、第３側面部６０もほぼ同様の構成となっている。この第１側面部２０の上下方向中央部にはフラップ片２１が形成されている。このフラップ片２１の幅は、図面上約３３ｍｍで形成されており、フラップ片２１の図１に示す左端の上下には、小さな凹状の切り込み２２Ａ及び２２Ｂが形成されている。これら切り込み２２Ａ及び２２Ｂに隣接するフラップ片２１の左端上下角部は円弧状に形成され、また、フラップ片の左端上下角部と反対側の右側の上下フラップ片端部２６Ａ及び２６Ｂも円弧状に形成されている。箱体１は、樹脂素材で形成されており、フラップ片２１の左端上下角部が円弧状に形成されることにより、開封時等において、開封しやすくなっている。
【００２１】
そして、フラップ片２１の右側の上下フラップ片端部２６Ａ及び２６Ｂから上下方向に開封用ミシン目２３Ａ及び２３Ｂが第１側面部２０上で緩やかな弧状を描いて形成され、これら開封用ミシン目２３Ａ及び２３Ｂは、正面部１０上で開封用ミシン目１３Ａ及び１３Ｂと連続して形成される。
【００２２】
開封用ミシン目１３Ａ及び１３Ｂは、正面部１０の上部角１６Ａ及び下部角１６Ｂに至る経路で曲線を描いて形成されている。図１に示すように、これら開封用ミシン目２３Ａは２３Ｂと、１３Ａは１３Ｂと上下対称に形成されている。したがって、フラップ片２１は、開封用ミシン目２３Ａ及び２３Ｂ、開封用ミシン目１３Ａ及び１３Ｂに沿って箱体１から切離し可能な構成となっている。
【００２３】
また、切り込み２２Ａ及び２２Ｂは開封方向のガイドとなり、開封開始時にフラップ片２１に応力が集中してもミシン目に沿って開封されることとなり、ミシン目以外の部分から破れることを防止する。実施形態１によると、フラップ片２１のフラップ片端部２６Ａ及び２６Ｂは円弧状の角のない形状であることから、箱体１の開封時においてミシン目以外の部分から破れることを防止し、スムーズに開封することができる。
【００２４】
本発明の実施形態１によれば、開封用ミシン目２３Ａ、２３Ｂ、１３Ａ及び１３Ｂは角のない円弧状の形状であることから、フラップ片２１を引っ張るというワンアクションでスムーズに開封することができる。
【００２５】
また、図１に示すように、第１側面部２０の上部には舌状部２９Ａ、第１側面部２０の下部には舌状部２９Ｂが延設されている。また、第２側面部３０の上部及び下部にもそれぞれ舌状部３９Ａ及び３９Ｂが延設され、各舌状部２９Ａ、２９Ｂ、３９Ａ、３９Ｂには、それぞれくの字状の凹部２５Ａ、２５Ｂ、３５Ａ、３５Ｂが形成されている。凹部２５Ａ、２５Ｂ、３５Ａ、３５Ｂによって、差し込み部１１Ａ及び１１Ｂを箱体１内に挿入する際、舌状部２９Ａ、２９Ｂ、３９Ａ及び３９Ｂとの干渉が軽減される。
【００２６】
また、図１に示すように、背面部４０の上部には立上がり部４１が延設されている。この背面部４０の立上がり部４１にはフック挿入孔４３が形成され、このフック挿入孔４３は円形の貫通孔で形成されている。
【００２７】
背面部４０から右側の第３側面部６０の右側に延設された中仕切り５０の長手方向右辺の上部は、Ｌ字状の上部切欠き部５２Ａを有し、中仕切り５０の長手方向右辺下部には逆Ｌ字状の下部切欠き部５２Ｂが設けられている。したがって、箱体１内の中仕切り５０と差し込み部１１Ａ及び１１Ｂとの干渉が軽減され、スムーズに差し込み部１１Ａ及び１１Ｂを箱体１内に挿入することが可能である。
【００２８】
また、中仕切り５０のうち、略長手Ｌ字状の切り取り用ミシン目５３で囲まれた範囲を眉毛テンプレート５１として構成する。眉毛テンプレート５１の長手方向右辺の一部は円弧状に形成され、この円弧状の部位を眉毛パターン５８とするものである。
【００２９】
図１に示すように、円弧状の部位の眉毛パターン５８は、眉毛の上部の形を整える（特に、眉山の位置や形状を整える）ためのパターンである。図１に示す眉毛テンプレート５１の使用方法としては、購入者は上部切欠き部５２Ａと眉毛テンプレート５１の端部外形を指で挟む等して自身の眉毛に眉毛テンプレート５１を位置決め固定し、眉毛を整える際のガイドとして使用することができる。したがって、中仕切り５０に設けられた上部切欠き部５２Ａは眉毛テンプレート５１を使用する場合の指掛けとして使用することができる。
【００３０】
また、中仕切り５０の上辺には、小さな凹状の中仕切り切り込部５５Ａが形成され、始点としての中仕切り切り込み部５５Ａから切り取り用ミシン目５３が形成されている。
【００３１】
切り取り用ミシン目５３は、中仕切り５０の長手方向の左辺を構成する線状折り目Ｌ５との間に一定幅を介して形成され、中仕切り５０の長手方向の左辺に沿って縦方向直線状又は線状に形成される。そして、中仕切り５０の縦方向の長さ約２／３程の地点で円弧状カーブ５９が形成されて中仕切り５０の右辺に向かって横方向へ直線状又は線状に形成される。したがって、切り取り用ミシン目５３は、略長手Ｌ字状に形成されている。
【００３２】
また、中仕切り５０の右辺の上から約２／３程の地点、すなわち、切り取り用ミシン目５３の端部近傍に小さな凹状の中仕切り切り込み部５５Ｂが形成され、中仕切り切り込み部５５Ｂは切り取り用ミシン目５３の終点となる。切り取り用ミシン目５３の中仕切り切り込み部５５Ａと５５Ｂは眉毛テンプレート５１を切り取る際のガイドとなり、ミシン目以外の部分が破れることを防ぐ。
【００３３】
また、切り取り用ミシン目５３は、眉毛テンプレート５１の周囲を囲んで構成される。中仕切り切り込み部５５Ａと５５Ｂの隣の眉毛テンプレート５１の角部５６Ａ及び５６Ｂは円弧状に構成され、切り取り用ミシン目５３は円弧状カーブ５９を有する角のない形状であることから、眉毛テンプレート５１を切り取る際にミシン目に沿って案内されてミシン目以外の部分から破れることを防止する。
【００３４】
次に箱体１の組み立て方法及び開封方法について、図２乃至図６を参照して説明する。
【００３５】
図２は、実施形態１に係る化粧品収納用包装体の組み立て方法を示す図であって、図２に示すように、第３側面部６０と背面部４０の境界を構成する折り目Ｌ４と中仕切り５０の線状折り目Ｌ５とをそれぞれ谷折りして、中仕切り５０が背面部４０の上方に位置するよう内側に折り畳む。
【００３６】
また、図２に示すように、正面部１０と第１側面部２０の境界を構成する折り目Ｌ１を谷折りし、図中の矢印のように、第１側面部２０を第３側面部６０に重ねて箱体１の一側面部を構成する。
【００３７】
さらに、舌状部２９Ａ、２９Ｂ、３９Ａ及び３９Ｂを約９０度の角度になるよう谷折りし、これらの舌状部２９Ａ、２９Ｂ、３９Ａ及び３９Ｂを箱体１内の方向に折り畳む。
【００３８】
図３は、実施形態１に係る化粧品収納用包装体の組立図であって、図３に示すように、平面部１２Ａと正面部１０の境界を構成する折り目Ｌ６、底面部１２Ｂと正面部１０の境界を構成する折り目Ｌ７を谷折りし、差し込み部１１Ａ及び１１Ｂを箱体１内に挿入する。舌状部２９Ａ、２９Ｂ、３９Ａ及び３９Ｂに凹部２５Ａ、２５Ｂ、３５Ａ及び３５Ｂが設けられていることにより、差し込み部１１Ａ及び１１Ｂを箱体１内に挿入する際、舌状部２９Ａ、２９Ｂ、３９Ａ及び３９Ｂとの干渉が軽減される。
【００３９】
図３に示すように、化粧品収納用包装体としての箱体１は、厚みの薄い略直方体形状を構成する。背面部４０の上部に延設される立上がり部４１のみが突出した状態で組立てられる。店頭に陳列される際、立上がり部４１に形成されたフック挿入孔４３の円形の貫通孔に計器のフックが挿入されるものである。
【００４０】
なお、差し込み部１１Ａ及び１１Ｂを折って箱体１内に挿入した後、接着剤等で背面部４０と接着させて構成する（固定する）場合や、差し込み部１１Ａ及び１１Ｂと、舌状部２９Ａ、２９Ｂ、３９Ａ及び３９Ｂのロックを強固にした場合には平面部１２Ａ又は底面部１２Ｂから容易に開封することはできない。
【００４１】
図３に示すように、中仕切り５０（破線）は箱体１内に正面部１０に対向して斜面状に配される。
【００４２】
図４は、実施形態１に係る化粧品収納用包装体に眉毛用化粧品を収納した状態を示す斜視図であって、図４に示すように、箱体１に収納される眉毛用化粧品９は中仕切りの上部に収納され箱体１内に位置決め固定される。本発明による化粧品収納用包装体としての箱体１は、ＰＰ樹脂やＰＥＴ樹脂などの樹脂素材で構成されており、中仕切り５０の一端は自由端となっており、斜面状に配されることによって弾性力が付与され、眉毛用化粧品９が移動しないように位置決め固定される。
【００４３】
また図５は、実施形態１に係る化粧品収納用包装体をフラップ片２１から開封した状態を示す図であって、図５に示すように、フラップ片２１を矢印方向に引っ張り、開封用ミシン目２３Ａ、２３Ｂ、１３Ａ、１３Ｂに沿って箱体１を開封すると、眉毛テンプレート５１を有する中仕切り５０が現れる。
【００４４】
また、図６は、第１側面部２０を第３側面部６０に重ねて構成した一側面部を示す図である。図６の斜線を施した範囲は接着剤等により接着された接着面２８Ａ及び２８Ｂを示すものであり、フラップ片２１と開封用ミシン目２３Ａ及び２３Ｂの内側は接着されていない。
【００４５】
したがって、図５に示すように、フラップ片２１を引っ張り開封する場合、接着面２８Ａ及び２８Ｂにより、フラップ片２１を引っ張った方向とは逆方向の力が生まれる。そして、開封用ミシン目２３Ａ、２３Ｂ、１３Ａ及び１３Ｂに沿って開封された後、側面部６０上には接着面２８Ａ及び２８Ｂのみが残る。
【００４６】
ここで、箱体１の中仕切り５０を第３側面部６０の端縁から延設し、線状折り目Ｌ５により中仕切り５０を箱体１内に折り畳む構成となっており、線状折り目Ｌ５と中仕切り５０の切り取り用ミシン目５３との間に一定幅を有する構成となっているから、開封用ミシン目２３Ａ、２３Ｂ、１３Ａ及び１３Ｂに沿って案内されて開封される際の箱の強度を保つことができる。
【００４７】
実施形態１によれば、開封用ミシン目２３Ａ、２３Ｂ、１３Ａ及び１３Ｂは、側面部２０と正面部１０に連続して設けられており、前記ミシン目に沿って開封すると、正面部１０のほぼ全面が開封されることから、箱体１内の中仕切り５０にワンアクションで直ちにアクセスすることができる。
【００４８】
実施形態１によれば、差し込み部１１Ａ及び１１Ｂを接着剤等で背面部４０と固定する場合や、差し込み部１１Ａ及び１１Ｂと、舌状部２９Ａ、２９Ｂ、３９Ａ及び３９Ｂのロックを強固にした場合、開封用ミシン目２３Ａ、２３Ｂ、１３Ａ及び１３Ｂのみから開封することとなるため、不正開封が行われた場合には直ちに気づくことができる。
【００４９】
実施形態１によれば、開封用ミシン目２３Ａ、２３Ｂ、１３Ａ及び１３Ｂは角部分のない円弧状の形状であることから、ミシン目に沿ってスムーズに案内されて開封され、また、購入者の指や手を傷つけるおそれもなく、樹脂素材からなる箱体１であっても、フラップ片２１を引っ張るというワンアクションでスムーズに開封することができる。
【００５０】
また、実施形態１によれば、フラップ片２１に形成された小さな凹状の切り込み２２Ａ及び２２Ｂが開封方向のガイドとなり、フラップ片２１に応力が集中してもミシン目以外の部分が破れることを防止する。
【００５１】
さらに、フラップ片２１のフラップ片端部２６Ａ及び２６Ｂ、開封用ミシン目１３Ａ及び１３Ｂの末端部近傍も円弧状に形成されていることから角部分はなく、箱体１の開封時においてミシン目以外の部分から破れることを防止する。
【００５２】
また実施形態１によれば、開封後、中仕切り５０に形成された眉毛テンプレート５１部分を切り取り用ミシン目５３に沿って切り取り携帯して使用することができる。
【００５３】
眉毛テンプレート５１を中仕切り５０から切り取る場合、眉毛テンプレート５１の角部５６Ａ又は５６Ｂから切り取り用ミシン目５３に沿って切り取られることが想定されるが、切り取り用ミシン目５３の始点と終点には、小さな凹状に構成された中仕切り切り込み部５５Ａと５５Ｂがガイドとなり、眉毛テンプレート５１を切り取る際、ミシン目以外の部分が破れることを防ぐ。
【００５４】
実施形態１によれば、中仕切り５０に設けられた上部切欠き部５２Ａ及び下部切欠き部５２Ｂが存在することにより、箱体１内の中仕切り５０と差し込み部１１Ａ及び１１Ｂとの干渉が軽減され、スムーズに差し込み部１１Ａ及び１１Ｂを箱体１内に挿入することが可能である。
【００５５】
実施形態１によれば、中仕切り５０に設けられた上部切欠き部５２Ａは、眉毛テンプレート５１を使用する際の指掛けとして使用することができる。
【００５６】
実施形態１によれば、中仕切り５０を第３側面部６０の端縁から延設し、線状折り目Ｌ５により中仕切り５０を箱体１内に折り畳んで箱体１を形成し、線状折り目Ｌ５と切り取り用ミシン目５３との間に一定幅を有する構成であることから、開封用ミシン目２３Ａ、２３Ｂ、１３Ａ及び１３Ｂに沿って開封される際、箱の強度を保つことができる。
【００５７】
［実施形態２］
眉毛テンプレート５１の形状は、実施形態１において説明した眉毛テンプレート５１の形状に限定されるものではなく、他の変形例を実施形態２として図７を参照して説明する。実施形態１と同一の部分ついては説明を省略する。尚、これらの眉毛テンプレート５１は、眉毛用化粧品９を収納し固定するという中仕切り本来の効果を十分発揮するために、中仕切り５０の切欠き部及び眉毛パターンを設ける側の辺の一部を残しておくことが好ましい。
【００５８】
図７（ａ）に示される眉毛テンプレート５１は、眉毛パターン５８を円弧状に形成し、上方切欠き部５２Ｃも円弧状とする。
【００５９】
中仕切り５０から眉毛テンプレート５１を切り取って使用する場合、ユーザは眉毛テンプレート５１の上部切欠き部５２Ｃと眉毛テンプレート５１の端部外形を指で挟む等して自身の眉毛に眉毛テンプレート５１を位置決め固定するが、Ｌ字形状の切欠きと比較して円弧状の上部切欠き部５２Ｃの方が指のアーチに沿う形状であるため指の掛りが良い。
【００６０】
図７（ｂ）に示される眉毛テンプレート５１は、眉毛パターン５８を円弧状に形成し、上方切欠き部５２Ｄも円弧状とし、さらに眉毛テンプレート５１の上辺を円弧状の凸部とするものである。
【００６１】
図７（ｂ）に示される眉毛テンプレート５１は、円弧状の上部切欠き部５２Ｄとすることで指のアーチに沿う形状であるため指掛りが良く、さらに眉毛テンプレートの上辺も円弧状の凸部とすることにより、眉毛テンプレート５１の上辺を挟む指のアーチ形状に沿った形状であるため指の掛りが良く位置決め固定し易い。
【００６２】
図７（ｃ）に示される眉毛テンプレート５１は、眉毛パターン５８の円弧形状を眉毛テンプレート５１の端部まで及ぼして形成する。眉毛パターン５８を端部まで及ぼすことによって、眉毛パターンによる凹みは、上部切欠き部と同等の役割（差し込み部１１Ａ及び１１Ｂを箱体１に挿入する際の中仕切り５０との干渉を軽減させるという役割）を有する。
【００６３】
したがって、図７（ｃ）に示される眉毛テンプレート５１を用いる場合には、別途上部切欠き部を中仕切り５０に設ける必要がなく製造作業工程や樹脂量を軽減できる。
【００６４】
また図７（ｄ）に示すように、眉毛全体について理想の形状を描いてその形状にくり抜き、眉毛パターン５８とすることも可能である。その場合の眉毛テンプレート５１の使用方法としては、購入者は眉毛パターン５８を自身の眉毛の位置に固定し、自身の眉毛を眉毛パターン５８に合わせて整える際の目安として使用することができる。
【００６５】
図８は眉毛テンプレートの使用方法を示す説明図であって、図８に示すように、購入者は上部切欠き部５２Ａと眉毛テンプレート５１の端部外形を指で挟む等して自身の眉毛に眉毛テンプレート５１を位置決め固定し、眉毛パターン５８に沿って眉毛を整え、理想的な美しい眉を完成させることができる。
【００６６】
［実施形態３］
また、開封用ミシン目２３Ａ、２３Ｂ、１３Ａ及び１３Ｂの形状は、実施形態１に示した形状に特定されるものではなく、変形例を実施形態３として図９を参照して説明する。実施形態１と同一の部分については説明を省略する。
【００６７】
図９に示すように、開封用ミシン目２３Ａ、２３Ｂ、１３Ａ及び１３Ｂはフラップ片２１の円弧状のフラップ片端部２６Ａ及び２６Ｂから、第１側面部２０と正面部１０にかけて形成され、正面部１０の上部角１６Ａ及び下部角１６Ｂにまで及ぶ。
【００６８】
開封用ミシン目２３Ａ及び２３Ｂは、円弧状のフラップ片端部２６Ａ及び２６Ｂから斜めの上下方向へ直線状又は線状に形成され、開封用ミシン目１３Ａ及び１３Ｂには、正面部１０の第１側面部２０との境界近傍においてカーブ１９Ａ及び１９Ｂが形成される。そして、カーブ１９Ａ及び１９Ｂの後、開封用ミシン目１３Ａ及び１３Ｂは上部角１６Ａ及び下部角１６Ｂにまで直線状又は線状に形成される。
【００６９】
実施形態３によれば、開封用ミシン目２３Ａ及び２３Ｂ、１３Ａ及び１３Ｂが直線状又は線状に形成されても、正面部において第１側面部２０との境界近傍にカーブ１９Ａ及び１９Ｂを設けることによって、フラップ片２１を引っ張り上げて開封する際、第１側面部２０と正面部１０との境界の折り目Ｌ１等ミシン目以外から破れることを防ぐことができる。
【００７０】
実施形態３によれば、直線状又は線状にミシン目を形成することから、開封用ミシン目２３Ａ及び２３Ｂ、１３Ａ及び１３Ｂの長さを短くすることができ、購入者の開封ストレスをさらに軽減することができる。そして、開封用ミシン目２３Ａ、２３Ｂ、１３Ａ及び１３Ｂは、側面部２０と正面部１０に連続して設けられており、前記ミシン目に沿って開封すると正面部１０のほぼ全面が開封されることから、箱体１内の中仕切り５０に直ちにアクセスできる。
【００７１】
［実施形態４］
また、正面部１０に開封用ミシン目を設けず、側面部２０の開封用ミシン目２３Ａ及び２３Ｂのみにて開封する箱体１を実施形態４として図１０を参照して説明する。実施形態１と同一の部分については説明を省略する。
【００７２】
図１０に示すように、開封用ミシン目２３Ａ及び２３Ｂはフラップ片２１の円弧状のフラップ片端部２６Ａ及び２６Ｂから側面部上部角２４Ａ及び側面部上部角２４Ｂまで及ぶ。開封用ミシン目２３Ａ及び２３Ｂの端部の形状、即ち側面部上部角２４Ａ及び側面部上部角２４Ｂ近傍は円弧状に形成される。円弧状に形成することにより、ミシン目以外から破れることを防ぐ。
【００７３】
実施形態４は、差し込み部１１Ａ及び１１Ｂは組み立てられる際、箱体１内に挿入されるのみであり接着等での固定はしない。実施形態４は、フラップ片２１を引っ張り、開封用ミシン目２３Ａ及び２３Ｂに沿って開封し、平面部１２Ａ及び底面部１２Ｂを開放して中仕切りにアクセスするからである。
【００７４】
実施形態４によると、側面部２０に形成された開封用ミシン目２３Ａ及び２３Ｂを開封するだけで中仕切り５０にアクセスすることができるため、購入者による開封ストレスがさらに軽減される。
【００７５】
実施形態４によると、側面部２０のみに開封用ミシン目２３Ａ及び２３Ｂを形成すれば足りるため加工が容易であり、また正面部（又は背面部）に開封用ミシン目が形成されないため、外観を重視する製品の場合において外観上有利である。さらに開封用ミシン目が正面（又は背面部）に形成されないため、正面（又は背面部）への製品情報の印刷が容易である。
【００７６】
さらに、実施形態１乃至４のいずれかに記載の化粧品収納用包装体は、眉毛用化粧品を収納した製品として提供することができる。
【００７７】
この発明は、その本質的特性から逸脱することなく数多くの形式のものとして具体化することができる。よって、上述した実施形態は専ら説明上のものであり、本発明を制限するものではないことは言うまでもない。
【符号の説明】
【００７８】
１  箱体
９  眉毛用化粧品
１０  正面部
１１Ａ  差し込み部
１１Ｂ  差し込み部
１２Ａ  平面部
１２Ｂ  底面部
１３Ａ  開封用ミシン目
１３Ｂ  開封用ミシン目
１６Ａ  上部角
１６Ｂ  下部角
１９Ａ  カーブ
１９Ｂ  カーブ
２０  第１側面部
２１  フラップ片
２２Ａ  切り込み
２２Ｂ  切り込み
２３Ａ  開封用ミシン目
２３Ｂ  開封用ミシン目
２４Ａ  側面部上部角
２４Ｂ  側面部下部角
２５Ａ  凹部
２５Ｂ  凹部
２６Ａ  フラップ片端部
２６Ｂ  フラップ片端部
２８Ａ  接着面
２８Ｂ  接着面
２９Ａ  舌状部
２９Ｂ  舌状部
３０  第２側面部
３５Ａ  凹部
３５Ｂ  凹部
３９Ａ  舌状部
３９Ｂ  舌状部
４０  背面部
４１  立ち上がり部
４３  フック挿入孔
５０  中仕切り
５１  眉毛テンプレート
５２Ａ  上部切欠き部
５２Ｂ  下部切欠き部
５２Ｃ  上部切欠き部
５２Ｄ  上部切欠き部
５３  切り取り用ミシン目
５５Ａ  中仕切り切り込み部
５５Ｂ  中仕切り切り込み部
５６Ａ  角部
５６Ｂ  角部
５８  眉毛パターン
５９  円弧状カーブ
６０  第３側面部
１００  化粧品収納用包装体
１１０  正面部
１１１Ａ  差し込み蓋部
１１１Ｂ  差し込み蓋部
１１２Ａ  平面部
１１２Ｂ  底面部
１２０  側面部
１２９Ａ  延設舌状部
１２９Ｂ  延設舌状部
１３０  側面部
１３９Ａ  延設舌状部
１３９Ｂ  延設舌状部
１４０  背面部
１４１  立ち上がり部
１４３  フック挿入孔
１５０  中仕切り
２００  眉毛用化粧品
Ｌ１  折り目
Ｌ２  折り目
Ｌ３  折り目
Ｌ４  折り目
Ｌ５  線状折り目
Ｌ６  折り目
Ｌ７  折り目
【図１】
2018177260.tif 000003
【図２】
2018177260.tif 000004
【図３】
2018177260.tif 000005
【図４】
2018177260.tif 000006
【図５】
2018177260.tif 000007
【図６】
2018177260.tif 000008
【図７】
2018177260.tif 000009
【図８】
2018177260.tif 000010
【図９】
2018177260.tif 000011
【図１０】
2018177260.tif 000012
【図１１】
2018177260.tif 000013
【図１２】
2018177260.tif 000014
【図１３】
2018177260.tif 000015
【図１４】
2018177260.tif 000016